(57)【要約】【課題】タイリング画像の解像度を有する画像情報と、スタック画像の解像度を有する画像情報とを、画像供給装置に供給させることが可能な技術を提供する。【解決手段】プロジェクターは、他のプロジェクターによって第１画像が投射される投射面に対し、画像情報に基づく第２画像を投射する投射部と、前記第１画像と前記第２画像とが前記画像情報の示す画像の一部となり前記第２画像を前記第１画像とつなげる第１モードと、前記第１画像と前記第２画像とが前記画像情報の示す画像となり前記第２画像を前記第１画像と重ねる第２モードとで、相異なる解像度を示す解像度情報を生成する生成部と、前記画像情報を供給する画像供給装置に対して、前記生成部によって生成される前記解像度情報を通知する通知部と、を含む。【選択図】図５
2020039019.tif 000002
【特許請求の範囲】
【請求項１】
他のプロジェクターによって第１画像が投射される投射面に対し、画像情報に基づく第２画像を投射する投射部と、
前記第１画像と前記第２画像とが前記画像情報の示す画像の一部となり前記第２画像を前記第１画像とつなげる第１モードと、前記第１画像と前記第２画像とが前記画像情報の示す画像となり前記第２画像を前記第１画像と重ねる第２モードとで、相異なる解像度を示す解像度情報を生成する生成部と、
前記画像情報を供給する画像供給装置に対して、前記生成部によって生成される前記解像度情報を通知する通知部と、
を含むプロジェクター。
【請求項２】
前記解像度情報は、ＥＤＩＤ（Extended Display Identification Data）に含まれる
請求項１に記載のプロジェクター。
【請求項３】
前記生成部は、
前記第１モードでは、前記第１画像と前記第２画像とをつなげた第３画像の解像度を示す第１解像度情報を生成し、
前記第２モードでは、前記第１画像と前記第２画像とを重ねた第４画像の解像度を示す第２解像度情報を生成し、
前記通知部は、
前記第１モードでは、前記画像供給装置に前記第１解像度情報を通知し、
前記第２モードでは、前記画像供給装置に前記第２解像度情報を通知する
請求項１または２に記載のプロジェクター。
【請求項４】
前記第１解像度情報が示す解像度は、前記第２解像度情報が示す解像度よりも大きい、
請求項３に記載のプロジェクター。
【請求項５】
前記第１画像を投射する前記他のプロジェクターが対応可能な解像度を示す対応情報を受け取る受取部を含み、
前記生成部は、前記第２モードでは、前記対応情報を参照し、前記第１画像を投射する前記他のプロジェクターと前記第２画像を投射する当該プロジェクターとが対応可能な解像度を示す情報を前記第２解像度情報として生成する、
請求項３または４に記載のプロジェクター。
【請求項６】
他のプロジェクターによって第１画像が投射される投射面に対し、画像情報に基づく第２画像を投射し、
前記第１画像と前記第２画像とが前記画像情報が示す画像の一部となり前記第２画像を前記第１画像とつなげる第１モードと、前記第１画像と前記第２画像とが前記画像情報が示す画像となり前記第２画像を前記第１画像と重ねる第２モードとで、相異なる解像度を示す解像度情報を生成し、
前記画像情報を供給する画像供給装置に対して、前記解像度情報を通知する、
プロジェクターの制御方法。
【発明の詳細な説明】
【技術分野】
【０００１】
本発明は、プロジェクターおよびプロジェクターの制御方法に関する。
【背景技術】
【０００２】
特許文献１には、複数のプロジェクターの各々が投射する投射画像をつなげてタイリング画像を表示する投射システムが記載されている。この投射システムでは、複数のプロジェクターがカスケード状に接続され、カスケード状の接続における先頭のプロジェクターが、タイリング画像の解像度を算出し、タイリング画像の解像度を示すＥＤＩＤ（Extended Display Identification Data）を生成する。先頭のプロジェクターは、当該ＥＤＩＤを画像供給装置に読み込ませる。画像供給装置は、当該ＥＤＩＤに基づいて、タイリング画像を示す画像情報を生成する。
【先行技術文献】
【特許文献】
【０００３】
【特許文献１】特開２０１３−１１７６３１号公報
【発明の概要】
【発明が解決しようとする課題】
【０００４】
複数のプロジェクターの各々が投射する投射画像を用いて全体として１つの画像を表示する手法としては、特許文献１に記載のようなタイリング画像を表示する手法の他に、同一画像の複数の投射画像を重ねてスタック画像を表示する手法もある。
【０００５】
特許文献１に記載の投射システムは、タイリング画像の解像度を示すＥＤＩＤしか生成できないため、スタック画像の解像度に対応する画像情報を画像供給装置に生成させることができない。
【課題を解決するための手段】
【０００６】
本発明に係るプロジェクターの一態様は、他のプロジェクターによって第１画像が投射される投射面に対し、画像情報に基づく第２画像を投射する投射部と、前記第１画像と前記第２画像とが前記画像情報の示す画像の一部となり前記第２画像を前記第１画像とつなげる第１モードと、前記第１画像と前記第２画像とが前記画像情報の示す画像となり前記第２画像を前記第１画像と重ねる第２モードとで、相異なる解像度を示す解像度情報を生成する生成部と、前記画像情報を供給する画像供給装置に対して、前記生成部によって生成される前記解像度情報を通知する通知部と、を含む。
【０００７】
本発明に係るプロジェクターの制御方法は、他のプロジェクターによって第１画像が投射される投射面に対し、画像情報に基づく第２画像を投射し、前記第１画像と前記第２画像とが前記画像情報が示す画像の一部となり前記第２画像を前記第１画像とつなげる第１モードと、前記第１画像と前記第２画像とが前画像情報が示す画像となり前記第２画像を前記第１画像と重ねる第２モードとで、相異なる解像度を示す解像度情報を生成し、前記画像情報を供給する画像供給装置に対して、前記解像度情報を通知する。
【図面の簡単な説明】
【０００８】
【図１】マルチプロジェクションシステム１の一例を示す図である。
【図２】タイリングモードにおけるマルチプロジェクションシステム１の投射画像の一例を示す図である。
【図３】スタックモードにおけるマルチプロジェクションシステム１の投射画像の一例を示す図である。
【図４】ＰＣ１００の一例を示す図である。
【図５】第１プロジェクター２００ａから第３プロジェクター２００ｃの一例を示す図である。
【図６】投射部２０７の一例を示す図である。
【図７】プロジェクター２００におけるモード設定動作を説明するためのフローチャートである。
【図８】プロジェクター２００における最上流設定に関する動作を説明するためのフローチャートである。
【図９】タイリング情報の一例を示す図である。
【図１０】プロジェクター２００におけるＥＤＩＤの取得に関する動作を説明するためのフローチャートである。
【図１１】ＰＣ１００が画像情報を生成して供給する動作を説明するためのフローチャートである。
【図１２】プロジェクター２００が画像を投射する動作を説明するためのフローチャートである。
【発明を実施するための形態】
【０００９】
＜Ａ：第１実施形態＞
＜Ａ１：マルチプロジェクションシステム１の概要＞
図１は、第１実施形態に係る第１プロジェクター２００ａを含むマルチプロジェクションシステム１の一例を示す図である。
【００１０】
マルチプロジェクションシステム１は、ＰＣ（Personal Computer）１００と、第１プロジェクター２００ａと、第２プロジェクター２００ｂと、第３プロジェクター２００ｃと、を含む。以下では、第１プロジェクター２００ａと第２プロジェクター２００ｂと第３プロジェクター２００ｃとを区別する必要がない場合、第１プロジェクター２００ａと第２プロジェクター２００ｂと第３プロジェクター２００ｃの各々を「プロジェクター２００」と称する。マルチプロジェクションシステム１において、プロジェクター２００の数は３に限らず２以上であればよい。
【００１１】
ＰＣ１００は、画像供給装置の一例である。画像供給装置は、一般的にソース機器と称されることもある。画像供給装置はＰＣ１００に限らない。例えば、画像供給装置として、ＤＶＤ（Digital Versatile Disc）プレーヤーが用いられてもよい。ＰＣ１００は、第１プロジェクター２００ａと第１ケーブル４００ａを介して接続される。ＰＣ１００は、第１プロジェクター２００ａに画像を示す画像情報を供給する。
【００１２】
ＰＣ１００と第１プロジェクター２００ａと第２プロジェクター２００ｂと第３プロジェクター２００ｃは、この順番で、いわゆるカスケード状に接続されている。以下、カスケード状の接続を「カスケード接続」と称する。ここで、カスケード接続における先頭つまりＰＣ１００の位置は「上流」を意味し、最後方つまり第３プロジェクター２００ｃの位置は「下流」を意味する。第１プロジェクター２００ａは、第２プロジェクター２００ｂと第２ケーブル４００ｂを介して接続される。第１プロジェクター２００ａは、他のプロジェクターの一例である。第２プロジェクター２００ｂは、第３プロジェクター２００ｃと第３ケーブル４００ｃを介して接続される。
【００１３】
第１プロジェクター２００ａと第２プロジェクター２００ｂと第３プロジェクター２００ｃの各々は、投射画像をスクリーン等の投射面に投射する。以下、第１プロジェクター２００ａの投射画像を「第１投射画像」と称する。第２プロジェクター２００ｂの投射画像を「第２投射画像」と称する。第３プロジェクター２００ｃの投射画像を「第３投射画像」と称する。第１投射画像は、第１画像の一例である。第２投射画像は、第２画像の一例である。
【００１４】
マルチプロジェクションシステム１は、タイリングモードと、スタックモードとを有する。タイリングモードは、第１モードの一例である。スタックモードは、第２モードの一例である。図２は、タイリングモードにおけるマルチプロジェクションシステム１の投射画像の一例を示す図である。図３は、スタックモードにおけるマルチプロジェクションシステム１の投射画像の一例を示す図である。
【００１５】
タイリングモードでは、第１投射画像５００ａと第２投射画像５００ｂと第３投射画像５００ｃとの各々は、ＰＣ１００から供給される画像情報の示す画像の一部つまり当該画像の部分画像となり、第１投射画像５００ａと第２投射画像５００ｂと第３投射画像５００ｃとが、投射面３００において相互につなげられる。
【００１６】
図２の例示では、ＰＣ１００から供給される画像情報は「ＡＢＣ」という画像を示す。第１投射画像５００ａは「ＡＢＣ」の一部分である「Ａ」を示す。第２投射画像５００ｂは「ＡＢＣ」の一部分である「Ｂ」を示す。第３投射画像５００ｃは「ＡＢＣ」の一部分である「Ｃ」を示す。投射面３００では、第１投射画像５００ａと第２投射画像５００ｂと第３投射画像５００ｃが相互につなげられて「ＡＢＣ」というタイリング画像が生成される。タイリング画像は、第３画像の一例である。
【００１７】
本実施形態では、タイリング画像は、第１投射画像５００ａと第２投射画像５００ｂと第３投射画像５００ｃとを画像の横方向につなげることで生成される。しかしながら、タイリング画像を生成するために複数の投射画像をつなげる態様は、複数の投射画像を横方向につなげる態様に限らず、縦方向につなげる態様でもよいし、縦方向と横方向とにつなげる態様でもよい。
【００１８】
スタックモードでは、第１投射画像５００ａと第２投射画像５００ｂと第３投射画像５００ｃとの各々は、ＰＣ１００から供給される画像情報の示す画像となり、第１投射画像５００ａと第２投射画像５００ｂと第３投射画像５００ｃとが、投射面３００において相互に重ねられる。
図３の例示では、ＰＣ１００から供給される画像情報は「Ａ」という画像を示す。第１投射画像５００ａと第２投射画像５００ｂと第３投射画像５００ｃの各々は「Ａ」を示す。投射面３００では、第１投射画像５００ａと第２投射画像５００ｂと第３投射画像５００ｃが相互に重ねられて「Ａ」というスタック画像が生成される。スタック画像は、第４画像の一例である。
【００１９】
ここで、第１投射画像５００ａの投射位置と、第２投射画像５００ｂの投射位置と、第３投射画像５００ｃの投射位置は、タイリングモードとスタックモードとの各々で利用者によって調節される。
【００２０】
＜Ａ２：ＰＣ１００の構成例＞
図４は、ＰＣ１００の一例を示す図である。ＰＣ１００は、ＰＣ側バス１０１と、ＰＣ側操作部１０２と、ＰＣ側記憶部１０３と、ＰＣ側制御部１０４と、ＰＣ側通信部１０５と、ビデオコントローラー１０６と、ＰＣ側画像送信部１０７と、を含む。
【００２１】
ＰＣ側操作部１０２と、ＰＣ側記憶部１０３と、ＰＣ側制御部１０４と、ビデオコントローラー１０６は、ＰＣ側バス１０１を介して相互に接続する。ＰＣ側操作部１０２は、例えば、キーボードまたはマウスであり、利用者による操作を受け取る。ＰＣ側記憶部１０３は、コンピューターが読み取り可能な記録媒体である。ＰＣ側記憶部１０３は、ＰＣ１００の動作を規定するプログラムと、種々の情報とを記憶する。
【００２２】
ＰＣ側制御部１０４は、ＣＰＵ（Central Processing Unit）等のコンピューターである。ＰＣ側制御部１０４は、１または複数の処理装置で構成されてもよい。ＰＣ側制御部１０４は、ＰＣ側記憶部１０３が記憶するプログラムを読み取り実行することによって、ＰＣ１００を制御する。
【００２３】
ＰＣ側通信部１０５は、画像情報の受信側である外部機器と通信を行う。本実施形態では、外部機器は、第１プロジェクター２００ａとなる。ＰＣ側通信部１０５は、外部機器から、ＶＥＳＡ（Video Electronics Standards Association）により形式が規格化されているＥＤＩＤを読み出す。
【００２４】
ＥＤＩＤは、画像情報を受信する受信側装置の特性情報を示す。ＥＤＩＤには、受信側装置が対応可能な画像の解像度を示す解像度情報が含まれる。画像の解像度は、画像における横方向の画素数と縦方向の画素数との積の形態によって表される。解像度としては、例えば、１９２０×１０８０、１２８０×７２０または７２０×４８０が挙げられる。
【００２５】
ビデオコントローラー１０６は、ＰＣ側制御部１０４により制御され、画像情報を生成する。例えば、ビデオコントローラー１０６は、ＰＣ側通信部１０５が読み出すＥＤＩＤの示す解像度を有する画像情報を生成する。
【００２６】
ＰＣ側画像送信部１０７は、ビデオコントローラー１０６が生成する画像情報を外部機器、具体的には第１プロジェクター２００ａに送信する。
【００２７】
＜Ａ３：第１プロジェクター２００ａ〜第３プロジェクター２００ｃの構成例＞
図５は、第１プロジェクター２００ａから第３プロジェクター２００ｃの一例を示す図である。
【００２８】
第１プロジェクター２００ａと第２プロジェクター２００ｂと第３プロジェクター２００ｃは、対応可能な解像度を除き同一構成である。なお、第１プロジェクター２００ａと第２プロジェクター２００ｂと第３プロジェクター２００ｃは、対応可能な解像度が同一であってもよい。
【００２９】
以下では、説明の重複を避けるため、第１プロジェクター２００ａと第２プロジェクター２００ｂと第３プロジェクター２００ｃのうち、第１プロジェクター２００ａの構成を中心に説明する。
【００３０】
第１プロジェクター２００ａは、投射側バス２０１と、下流側通信部２０２と、ＥＤＩＤ記憶部２０３と、上流側通信部２０４と、スプリッター２０５と、画像処理部２０６と、投射部２０７と、投射側画像送信部２０８と、投射側操作部２０９と、情報記憶部２１０と、処理部２１１と、を含む。
ここで「下流側」は、カスケード接続における下流側を意味する。例えば、第１プロジェクター２００ａにおいて「下流側」は、第２プロジェクター２００ｂ側を意味する。第２プロジェクター２００ｂにおいて「下流側」は、第３プロジェクター２００ｃ側を意味する。
「上流側」は、カスケード接続における「上流側」を意味する。例えば、第１プロジェクター２００ａにおいて「上流側」は、ＰＣ１００側を意味する。第２プロジェクター２００ｂにおいて「上流側」は第１プロジェクター２００ａ側を意味する。
【００３１】
下流側通信部２０２と、ＥＤＩＤ記憶部２０３と、上流側通信部２０４と、スプリッター２０５と、画像処理部２０６と、投射部２０７と、投射側画像送信部２０８と、投射側操作部２０９と、情報記憶部２１０と、処理部２１１とは、投射側バス２０１を介して相互に接続する。
【００３２】
下流側通信部２０２は、カスケード接続されている下流側の装置と通信する。以下、カスケード接続されている下流側の装置を「下流側装置」と称する。下流側通信部２０２は、下流側装置からＥＤＩＤを読み取る。具体的には、下流側通信部２０２は、下流側装置にＥＤＩＤを要求し、当該要求に応じて下流側装置から通知されるＥＤＩＤを受信する。下流側通信部２０２は、受取部の一例である。第２プロジェクター２００ｂおよび第３プロジェクター２００ｃの各々のＥＤＩＤは、対応情報の一例である。
【００３３】
ＥＤＩＤ記憶部２０３は、ＥＤＩＤを記憶する。ＥＤＩＤ記憶部２０３に記憶されるＥＤＩＤには、第１プロジェクター２００ａに初期設定されている初期ＥＤＩＤと、下流側通信部２０２が下流側装置から読み取るＥＤＩＤとが反映される。第１プロジェクター２００ａに初期設定されている初期ＥＤＩＤは、例えば、第１プロジェクター２００ａが対応可能な解像度を示す解像度情報を含む。第１プロジェクター２００ａに初期設定されている初期ＥＤＩＤは、第１プロジェクター２００ａの情報記憶部２１０に記憶されている。
【００３４】
上流側通信部２０４は、カスケード接続されている上流側装置と通信する。以下、カスケード接続されている上流側装置を単に「上流側装置」と称する。上流側通信部２０４は、ＥＤＩＤ記憶部２０３に記憶されているＥＤＩＤを、上流側装置の要求に応じて上流側装置に通知する。上流側通信部２０４は、通知部の一例である。
【００３５】
スプリッター２０５は、画像分配部である。スプリッター２０５は、上流側装置から受信する画像情報を画像処理部２０６と投射側画像送信部２０８に分配する。
【００３６】
画像処理部２０６は、画像情報に対して画像処理を施す。画像処理としては、例えば、投射画像の歪みを補正する台形歪み補正処理が挙げられる。なお、画像処理は、台形歪み補正処理に限らず適宜変更可能である。
【００３７】
画像処理部２０６は、タイリングモードでは、スプリッター２０５から提供される画像情報から、第１プロジェクター２００ａが投射を担当する部分を切り出し、切り出し後の画像情報に対して画像処理を施して画像信号を生成する。第１プロジェクター２００ａが投射を担当する部分を示す切り出し部分情報は、情報記憶部２１０に記憶されている。画像処理部２０６は、情報記憶部２１０に記憶されている切り出し部分情報を用いて、上述の切り出しを実行する。
【００３８】
画像処理部２０６は、スタックモードでは、スプリッター２０５から提供される画像情報について切り出しを行うことなく、当該画像情報に対して画像処理を施して画像信号を生成する。
【００３９】
投射部２０７は、画像処理部２０６が生成する画像信号に応じた画像を投射面３００に投射する。投射側画像送信部２０８は、スプリッター２０５から提供される画像情報を下流側装置に送信する。投射側操作部２０９は、例えば、各種の操作ボタン、操作キーまたはタッチパネルである。投射側操作部２０９は、利用者の入力操作を受け取る。
【００４０】
情報記憶部２１０は、コンピューターが読み取り可能な記録媒体である。情報記憶部２１０は、第１プロジェクター２００ａの動作を規定するプログラムと、種々の情報とを記憶する。
【００４１】
処理部２１１は、ＣＰＵ等のコンピューターである。処理部２１１は、１または複数の処理装置で構成されてもよい。処理部２１１は、情報記憶部２１０が記憶するプログラムを読み取り実行することによって、モード管理部２１２と、生成部２１３と、投射制御部２１４とを実現する。
【００４２】
モード管理部２１２は、例えば、投射側操作部２０９が受け付ける操作に基づいて、第１プロジェクター２００ａがタイリングモードであるかスタックモードであるかを管理する。また、モード管理部２１２は、投射側操作部２０９が受け付ける操作に基づいて、第１プロジェクター２００ａが第１プロジェクター２００ａと第２プロジェクター２００ｂと第３プロジェクター２００ｃの中でカスケード接続の最上流に位置するか否かを管理する。
【００４３】
生成部２１３は、例えば、タイリングモードとスタックモードとで、相異なる解像度を示す解像度情報を生成する。本実施形態では、生成部２１３は、ＥＤＩＤに含まれる解像度情報を生成する。
【００４４】
投射制御部２１４は、画像処理部２０６および投射部２０７を制御して第１プロジェクター２００ａによる画像の投射を制御する。
【００４５】
＜Ａ４：投射部２０７の構成例＞
図６は、投射部２０７の一例を示す図である。投射部２０７は、ライトバルブ駆動部１１と、光源駆動部１２と、光源１３と、赤色用液晶ライトバルブ１４Ｒと、緑色用液晶ライトバルブ１４Ｇと、青色用液晶ライトバルブ１４Ｂと、投射光学系１５と、を含む。以下、赤色用液晶ライトバルブ１４Ｒと、緑色用液晶ライトバルブ１４Ｇと、青色用液晶ライトバルブ１４Ｂとを相互に区別する必要がない場合、赤色用液晶ライトバルブ１４Ｒと、緑色用液晶ライトバルブ１４Ｇと、青色用液晶ライトバルブ１４Ｂの各々を単に「液晶ライトバルブ１４」と称する。
【００４６】
ライトバルブ駆動部１１は、画像信号に基づいて液晶ライトバルブ１４を駆動する。光源駆動部１２は、光源１３を駆動する。
【００４７】
光源１３は、キセノンランプ、超高圧水銀ランプ、ＬＥＤ（Light Emitting Diode）、またはレーザー光源等である。光源１３から射出される光は、不図示のインテグレーター光学系によって輝度分布のばらつきが低減され、その後、不図示の色分離光学系によって光の３原色である赤色、緑色、青色の色光成分に分離される。赤色の色光成分は赤色用液晶ライトバルブ１４Ｒに入射する。緑色の色光成分は緑色用液晶ライトバルブ１４Ｇに入射する。青色の色光成分は青色用液晶ライトバルブ１４Ｂに入射する。
【００４８】
液晶ライトバルブ１４は、一対の透明基板間に液晶が存在する液晶パネル等によって構成される。液晶ライトバルブ１４は、マトリクス状に位置する複数の画素１４ｐを含む矩形の画素領域１４ａを有する。液晶ライトバルブ１４は、液晶に対して画素１４ｐごとに駆動電圧を印加できる。ライトバルブ駆動部１１が、画像処理部２０６から入力される画像信号に基づく駆動電圧を各画素１４ｐに印加すると、各画素１４ｐは、画像信号に基づく光透過率に設定される。このため、光源１３から射出される光は、画素領域１４ａを通ることで変調され、画像信号に基づく画像が色光ごとに形成される。
【００４９】
各色の画像は、図示しない色合成光学系によって画素１４ｐごとに合成され、カラー画像である投射画像が生成される。投射画像は、投射光学系１５によって投射面３００に投射される。
【００５０】
＜Ａ５：最上流設定動作＞
図７は、プロジェクター２００における最上流設定に関する動作を説明するためのフローチャートである。ここで、「最上流」とは、カスケード接続されている複数のプロジェクター２００のうちの先頭、さらに言えば、複数のプロジェクター２００のうちＰＣ１００から画像情報が供給されるプロジェクター２００を意味する。図１に示す例では、第１プロジェクター２００ａが最上流となる。
ステップＳ１１において投射側操作部２０９が、第１プロジェクター２００ａと第２プロジェクター２００ｂと第３プロジェクター２００ｃのうち本プロジェクター２００がカスケード接続の最上流であることを設定する最上流設定操作を受け取ると、ステップＳ１２においてモード管理部２１２は、最上流の設定を実行する。
【００５１】
続いて、ステップＳ１３においてモード管理部２１２は、下流側通信部２０２を用いて、本プロジェクター２００が最上流であることを示す最上流情報を他のプロジェクター２００に通知して保持させる。
【００５２】
また、ステップＳ１４において投射側操作部２０９が、本プロジェクター２００が最上流でないことを設定する非最上流設定操作を受け取ると、ステップＳ１５においてモード管理部２１２は、最上流の設定を解除して非最上流の設定を実行する。
【００５３】
一方、投射側操作部２０９が、最上流設定操作と非最上流設定操作とのいずれも受け取らない場合、モード管理部２１２は、最上流および非最上流の設定を変更せずに維持する。
【００５４】
＜Ａ６：モード設定動作＞
図８は、プロジェクター２００におけるモード設定動作を説明するためのフローチャートである。
ステップＳ２１において投射側操作部２０９が、利用者からタイリングモードを設定するタイリングモード設定操作を受け取ると、ステップＳ２２においてモード管理部２１２は、動作モードをタイリングモードに設定する。
【００５５】
続いて、ステップＳ２３において投射側操作部２０９が、タイリング画像を生成するために用いられるタイリング情報を受け取ると、ステップＳ２４においてモード管理部２１２は、上流側通信部２０４を用いて当該タイリング情報を最上流のプロジェクター２００に通知して保持させる。
【００５６】
最上流のプロジェクター２００、すなわち、第１プロジェクター２００ａが情報記憶部２１０に保持するタイリング情報の一例を図９に示す。
本例では、並べられる投射画像の数は、横が「３」で縦が「１」である。投射画像の数の情報は、タイリング情報において横の画像数の欄と縦の画像数の欄に示されている。また、投射画像の位置は、第１投射画像５００ａ、第２投射画像５００ｂ、第３投射画像５００ｃの順番で左から配列される。投射画像の位置の情報は、タイリング情報において投射画像の横の位置の欄と投射画像の縦の位置の欄に示されている。
なお、タイリング情報は、横３画像×縦１画像で構成されるタイリング画像だけでなく、他のタイリング画像にも対応できる。
【００５７】
説明を図８に戻す。ステップＳ２５において投射側操作部２０９が、スタックモードを設定するスタックモード設定操作を受け取ると、ステップＳ２６においてモード管理部２１２は、動作モードをスタックモードに設定する。
【００５８】
一方、投射側操作部２０９が、タイリングモード設定操作とスタックモード設定操作とのいずれも受け取らない場合は、モード管理部２１２は、動作モードを変更せずに維持する。
【００５９】
＜Ａ７：ＥＤＩＤの取得動作＞
図１０は、プロジェクター２００におけるＥＤＩＤに関する動作を説明するためのフローチャートである。
例えば、プロジェクター２００が下流側装置と接続されると、ステップＳ３１において下流側通信部２０２は、下流側装置のＥＤＩＤ記憶部２０３からＥＤＩＤを取得する。なお、下流側装置が存在しない場合、ステップＳ３１は省略される。
【００６０】
続いて、ステップＳ３２において最上流の設定がなされていない場合、生成部２１３は、ステップＳ３７において本プロジェクター２００のＥＤＩＤ記憶部２０３に記憶されているＥＤＩＤを更新する。
最上流の設定がなされていない場合のステップＳ３７においては、生成部２１３は、ＥＤＩＤ記憶部２０３に記憶されているＥＤＩＤを、情報記憶部２１０に予め格納されている初期のＥＤＩＤと、ステップＳ３１で取得される下流側装置のＥＤＩＤとの組合せに更新する。
例えば、第２プロジェクター２００ｂでは、ＥＤＩＤ記憶部２０３に記憶されているＥＤＩＤが、第２プロジェクター２００ｂの初期のＥＤＩＤと第３プロジェクター２００ｃの初期のＥＤＩＤとの組合せに更新される。
【００６１】
続いて、ステップＳ３８において生成部２１３は、上流側通信部２０４を用いて、ＥＤＩＤの読み込みを指示するＥＤＩＤ読み込み指示を上流側装置に送信する。上流側装置は、ＥＤＩＤ読み込み指示を受信すると、図１０に示す動作を実行し、ステップＳ３１において、下流に存在するプロジェクター２００のＥＤＩＤを取得する。
例えば、第２プロジェクター２００ｂのＥＤＩＤ記憶部２０３に、第２プロジェクター２００ｂと第３プロジェクター２００ｃの各々の初期のＥＤＩＤが記憶されている状況では、上流側装置である第１プロジェクター２００ａは、第２プロジェクター２００ｂと第３プロジェクター２００ｃの各々の初期のＥＤＩＤを取得する。
【００６２】
一方、ステップＳ３２において最上流の設定がなされている場合に、ステップＳ３３において動作モードがタイリングモードである場合、ステップＳ３４において生成部２１３は、タイリング画像の解像度を決定する。
生成部２１３は、第１プロジェクター２００ａと第２プロジェクター２００ｂと第３プロジェクター２００ｃの各々の初期のＥＤＩＤと、情報記憶部２１０に記憶されているタイリング情報とを参照して、タイリング画像の解像度を決定する。
【００６３】
本例では、生成部２１３は、まず、初期のＥＤＩＤごとに、対応可能な解像度のうち最大の解像度を特定する。続いて、生成部２１３は、各最大解像度の横解像度つまり横画素数を加算することによって、タイリング画像の横解像度を決定する。続いて、生成部２１３は、各最大解像度の縦解像度のうちで最大の縦解像度つまり最大の縦画素数を、タイリング画像の縦解像度として決定する。さらに、生成部２１３は、各最大解像度の縦解像度のうちで最小の縦解像度つまり最小の縦画素数を、タイリング画像の有効縦解像度として決定する。ここで、タイリング画像において、有効縦解像度に収まらない部分は黒色の領域となる。
【００６４】
続いて、ステップＳ３５において生成部２１３は、各々の初期のＥＤＩＤと、タイリング情報と、タイリング画像の解像度とに基づいて、第１プロジェクター２００ａと第２プロジェクター２００ｂと第３プロジェクター２００ｃの各々の切り出し部分情報を生成し、第２プロジェクター２００ｂと第３プロジェクター２００ｃに通知する。
【００６５】
生成部２１３は、横方向の切り出し位置については、各最大解像度の横解像度に基づいて決定し、縦方向の切り出し位置については、各最大解像度の縦解像度に基づいて決定する。なお、生成部２１３は、縦方向の切り出し位置を決定する際には、有効縦解像度に収まらない黒色の領域が小さくなるように決定する。
【００６６】
第１プロジェクター２００ａでは、生成部２１３は、第１プロジェクター２００ａの切り出し部分情報を情報記憶部２１０に記憶する。第２プロジェクター２００ｂでは、生成部２１３は、第１プロジェクター２００ａから通知される第２プロジェクター２００ｂの切り出し部分情報を、情報記憶部２１０に記憶する。第３プロジェクター２００ｃでは、生成部２１３は、第１プロジェクター２００ａから通知される第３プロジェクター２００ｃの切り出し部分情報を、情報記憶部２１０に記憶する。
【００６７】
一方、ステップＳ３３において動作モードがスタックモードである場合、ステップＳ３６において生成部２１３は、カスケード接続されている全てのプロジェクター２００のＥＤＩＤを参照して、当該全てのプロジェクター２００が対応可能な共通解像度をスタック画像の解像度として決定する。
【００６８】
例えば、第１プロジェクター２００ａのＥＤＩＤが解像度として「１９２０×１０８０」と「１２８０×７２０」と「７２０×４８０」を示し、第２プロジェクター２００ｂのＥＤＩＤが解像度として「１２８０×７２０」と「７２０×４８０」を示し、第３プロジェクター２００ｃのＥＤＩＤが解像度として「７２０×４８０」を示す場合、生成部２１３は、「７２０×４８０」を共通解像度として決定する。
【００６９】
ここで、共通解像度は、複数の解像度を包含してもよい。例えば、第１プロジェクター２００ａのＥＤＩＤが解像度として「１９２０×１０８０」と「１２８０×７２０」と「７２０×４８０」を示し、第２プロジェクター２００ｂのＥＤＩＤが解像度として「１２８０×７２０」と「７２０×４８０」を示すとする。そして、第３プロジェクター２００ｃのＥＤＩＤが解像度として「１２８０×７２０」と「７２０×４８０」を示す場合には、生成部２１３は、「１２８０×７２０」と「７２０×４８０」を共通解像度として決定する。
【００７０】
ステップＳ３５が完了する場合およびステップＳ３６が完了する場合、ステップＳ３７が実行される。
ステップＳ３５の完了後に実行されるステップＳ３７では、生成部２１３は、タイリング画像の解像度を示す第１解像度情報を生成し、ＥＤＩＤ記憶部２０３に記憶されているＥＤＩＤを、第１解像度情報を含むＥＤＩＤに更新する。
一方、ステップＳ３６の完了後に実行されるステップＳ３７では、生成部２１３は、スタック画像の解像度つまり共通解像度を示す第２解像度情報を生成し、ＥＤＩＤ記憶部２０３に記憶されているＥＤＩＤを、第２解像度情報を含むＥＤＩＤに更新する。
ステップＳ３７が完了すると、上述のステップＳ３８が実行される。
【００７１】
＜Ａ８：ＰＣ１００の動作＞
図１１は、ＰＣ１００が画像情報を生成して供給する動作を説明するためのフローチャートである。
ステップＳ４１においてＰＣ１００のＰＣ側通信部１０５が、下流側装置となる第１プロジェクター２００ａからＥＤＩＤ読み込み指示を受信すると、ステップＳ４２においてＰＣ側制御部１０４は、ＰＣ側通信部１０５に第１プロジェクター２００ａのＥＤＩＤを取得させる。
具体的には、まず、ＰＣ側通信部１０５が、第１プロジェクター２００ａにＥＤＩＤを要求する。続いて、第１プロジェクター２００ａの上流側通信部２０４は、ＥＤＩＤの要求に応じて、ＥＤＩＤ記憶部２０３に記憶されているＥＤＩＤを読み出し、当該ＥＤＩＤをＰＣ１００に送信する。ＰＣ側通信部１０５は、第１プロジェクター２００ａからＥＤＩＤを受信する。
【００７２】
続いて、ステップＳ４３においてビデオコントローラー１０６は、ＰＣ側通信部１０５が受信するＥＤＩＤに応じた画像情報を生成する。具体的には、ビデオコントローラー１０６は、ＥＤＩＤの示す解像度を有する画像情報を生成する。ここで、ＰＣ側通信部１０５が受信するＥＤＩＤに複数の解像度が示される場合、ビデオコントローラー１０６は、複数の解像度のうち最大の解像度を有する画像情報を生成する。
【００７３】
続いて、ステップＳ４４において、ＰＣ側画像送信部１０７は、ビデオコントローラー１０６が生成する画像情報を第１プロジェクター２００ａに供給する。
【００７４】
＜Ａ９：プロジェクター２００の画像投射動作＞
図１２は、プロジェクター２００が画像を投射する動作を説明するためのフローチャートである。
スプリッター２０５は、上流側装置から画像情報を受信すると、当該画像情報を画像処理部２０６と投射側画像送信部２０８に分配する。
ステップＳ５１においてタイリングモードであると、ステップＳ５２において投射制御部２１４は、画像処理部２０６に画像情報から投射を担当する部分を切り出す処理を実行させる。画像処理部２０６は、情報記憶部２１０に記憶されている切り出し部分情報を用いて、切り出し処理を実行する。
一方、ステップＳ５１においてタイリングモードでないと、ステップＳ５２はスキップされる。
【００７５】
続いて、ステップＳ５３において投射部２０７は画像を投射する。タイリングモードでは、まず、画像処理部２０６は、ステップＳ５１で切り出し後の画像情報に対して画像処理を施して画像信号を生成する。スタックモードでは、画像処理部２０６は、スプリッター２０５から提供される画像情報について切り出しを行うことなく、当該画像情報に対して画像処理を施して画像信号を生成する。投射部２０７は、画像処理部２０６が生成する画像信号に応じた画像を投射面３００に投射する。
【００７６】
また、ステップＳ５４において投射側画像送信部２０８は、スプリッター２０５から提供される画像情報を下流側装置に送信する。なお、下流側装置が存在しない場合、ステップＳ５４は省略される。
【００７７】
本実施形態に係る第１プロジェクター２００ａおよび第１プロジェクター２００ａの制御方法によれば、生成部２１３は、タイリングモードとスタックモードとで相異なる解像度情報を生成する。上流側通信部２０４は、ＰＣ１００に対して、生成部２１３の生成する解像度情報を送信する。このため、タイリングモードではタイリング画像に対応する画像情報をＰＣ１００に生成させ、スタックモードではスタック画像に対応する画像情報をＰＣ１００に生成させることが可能になる。
【００７８】
生成部２１３が生成する解像度情報は、いわゆるシンク機器とソース機器とで通信されるＥＤＩＤに含まれる。よって、シンク機器の一例である第１プロジェクター２００ａからソース機器の一例であるＰＣ１００への解像度情報の通知のために、新たな通信形態を用いることなく、タイリングモードに対応する解像度情報と、スタックモードに対応する解像度情報とを、ＰＣ１００に通知できる。
【００７９】
生成部２１３は、タイリングモードではタイリング画像の解像度を示す第１解像度情報を生成し、スタックモードではスタック画像の解像度を示す第２解像度情報を生成する。上流側通信部２０４は、タイリングモードでは第１解像度情報をＰＣ１００に通知し、スタックモードでは第２解像度情報をＰＣ１００に通知する。
このため、ＰＣ１００に対して、タイリング画像の解像度とスタック画像の解像度とを指定することが可能になる。
【００８０】
第１解像度情報が示す解像度は、第２解像度情報が示す解像度よりも大きい。このため、タイリング画像の解像度をスタック画像の解像度よりも大きくできる。
【００８１】
生成部２１３は、スタックモードでは、共通解像度を示す第２解像度情報をＰＣ１００に通知する。このため、スタックモードにおいては、ＰＣ１００に、第１プロジェクター２００ａと第２プロジェクター２００ｂと第３プロジェクター２００ｃとのいずれもが対応可能な解像度を有する画像情報を提供させることが可能になる。よって、例えば、第１プロジェクター２００ａと第２プロジェクター２００ｂと第３プロジェクター２００ｃにおいて、対応可能な解像度が相互に異なっていても、第１プロジェクター２００ａと第２プロジェクター２００ｂと第３プロジェクター２００ｃのいずれもが、ＰＣ１００からの画像情報に応じた画像を投射可能になる。
【００８２】
＜Ｂ：変形例＞
第１実施形態において、例えば以下に例示する構成が採用されてもよい。
【００８３】
＜Ｂ１：変形例１＞
第１実施形態において、第１プロジェクター２００ａと第２プロジェクター２００ｂと第３プロジェクター２００ｃは、タイリングモードにおいて、エッジブレンディング処理を実行してもよい。エッジブレンディング処理とは、タイリングモードにおいて、複数の投射画像を一部重畳させ、重畳部分における各投射画像の照度の合計値が非重畳部分の照度と等しくなるように、各投射画像の重畳部分を減光する処理である。
この場合、重畳領域の横解像度つまり横画素数はタイリング情報に示され、生成部２１３は、上述のように算出されるタイリング画像の横解像度から重畳領域の横解像度の合計値を除算することで得られる横解像度を、タイリング画像の横解像度として決定する。
【００８４】
＜Ｂ２：変形例２＞
第１実施形態および変形例１において、処理部２１１がプログラムを実行することによって実現される機能の全部または一部は、例えばＦＰＧＡ（field programmable gate array）またはＡＳＩＣ（Application Specific IC）等の電子回路によりハードウェアで実現されてもよい。
【００８５】
＜Ｂ３：変形例３＞
第１実施形態および変形例１〜変形例２において、光変調装置の一例として液晶ライトバルブ１４が用いられたが、光変調装置は液晶ライトバルブに限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合には、色分離光学系および色合成光学系に相当する部材は不要である。また、液晶パネルおよびＤＭＤ以外にも、光源１３が発した光を変調可能な構成は、光変調装置として採用できる。
【００８６】
＜Ｂ４：変形例４＞
第１実施形態および変形例１〜変形例３において、最上流情報とタイリング情報と切り出し部分情報の各々は、プロジェクター２００同士ではやりとりされず、利用者によって各プロジェクター２００に個別に設定されてもよい。
【符号の説明】
【００８７】
１…マルチプロジェクションシステム、１１…ライトバルブ駆動部、１２…光源駆動部、１３…光源、１４…液晶ライトバルブ、１５…投射光学系、１００…ＰＣ、１０１…ＰＣ側バス、１０２…ＰＣ側操作部、１０３…ＰＣ側記憶部、１０４…ＰＣ側制御部、１０５…ＰＣ側通信部、１０６…ビデオコントローラー、１０７…ＰＣ側画像送信部、２００ａ…第１プロジェクター、２００ｂ…第２プロジェクター、２００ｃ…第３プロジェクター、２０１…投射側バス、２０２…下流側通信部、２０３…ＥＤＩＤ記憶部、２０４…上流側通信部、２０５…スプリッター、２０６…画像処理部、２０７…投射部、２０８…投射側画像送信部、２０９…投射側操作部、２１０…情報記憶部、２１１…処理部、２１２…モード管理部、２１３…生成部、２１４…投射制御部。
【図１】
2020039019.tif 000003
【図２】
2020039019.tif 000004
【図３】
2020039019.tif 000005
【図４】
2020039019.tif 000006
【図５】
2020039019.tif 000007
【図６】
2020039019.tif 000008
【図７】
2020039019.tif 000009
【図８】
2020039019.tif 000010
【図９】
2020039019.tif 000011
【図１０】
2020039019.tif 000012
【図１１】
2020039019.tif 000013
【図１２】
2020039019.tif 000014